【手続補正書】
【提出日】平成19年10月11日(2007.10.11)
【手続補正１】
【補正対象書類名】特許請求の範囲
【補正対象項目名】全文
【補正方法】変更
【補正の内容】
【特許請求の範囲】
【請求項１】
流量制御装置への特定流体供給源の接続を検証するシステムであって、該流量制御装置が流体供給源に連結された流体導管に作用することで流体供給源から流体を該導管を介して移動させ、流体供給源と導管とが上流の流体供給源セグメントを形成している形式のものにおいて、前記システムが、
圧力センサを含み、該圧力センサが、流量制御装置に当てがわれ、かつ流体供給源と流量制御装置との間の箇所で流体導管に接続され、導管内の圧力を検知し、検知した圧力に応じた圧力信号を発信し、更に前記システムが、
接続検証モードを有するプロセッサを含み、該モードでは、プロセッサが、導管内の期待圧力変化を示す圧力信号を受信した場合、検証を表示するように構成されており、それによって特定流体供給源が流量制御装置に接続されていることが検証される、流量制御装置への特定流体供給源の接続を検証するシステム。
【請求項２】
前記プロセッサが、更に、導管内での期待圧力変化を示す圧力信号を受信し、それにより流量制御装置への特定流体供給源の接続を検証するまで、流量制御装置の動作を遅延させることにより流体の導管通過を抑止するように構成されている、請求項１に記載されたシステム。
【請求項３】
接続検証モードの前記プロセッサが、期待圧力変化が第２流量制御装置のところで検出され、該流量制御装置が同定されたことを表示するように構成されている、請求項１に記載されたシステム。
【請求項４】
接続検証モードの前記プロセッサが、更に、流体導管内に圧力変化を誘起するよう操作員に指示するように構成され、かつ
操作員によって誘起された圧力変化を検出するために、圧力信号をモニタするように構成されている、請求項１に記載されたシステム。
【請求項５】
接続検証モードの前記プロセッサが、更に、操作員によって誘起された圧力変化が検出されるまで、流量制御装置の動作を遅延させることで流体の導管通過を抑止するように構成されている、請求項４に記載されたシステム。
【請求項６】
接続検証モードの前記プロセッサが、更に
誘起された圧力変化を検出するために、予め定めた時限の間、圧力信号をモニタするように構成され、また
誘起された圧力変化が予め定めた時限内に検出されない場合、圧力変化を誘起したことの確認を操作員に指示するように構成されている、請求項４に記載されたシステム。
【請求項７】
接続検証モードの前記プロセッサが、更に、圧力変化の誘起を操作員が確認したが、プロセッサが予め定めた時限内に圧力信号により示される圧力変化を検出しなかった場合、警告を表示するように構成されている、請求項６に記載されたシステム。
【請求項８】
接続検証モードの前記プロセッサが、流体導管内の圧力変化を誘起するために、上流流体供給源セグメントの圧搾を操作員に指示するように構成されている、請求項４に記載されたシステム。
【請求項９】
接続検証モードの前記プロセッサが、流体導管内の圧力変化を誘起するために、特定流体供給源の高さ変更を操作員に指示するように構成されている、請求項４に記載されたシステム。
【請求項１０】
接続検証モードの前記プロセッサが、圧力変化を誘起するために、上流流体供給源セグメントを叩くよう操作員に指示するように構成されている、請求項４に記載されたシステム。
【請求項１１】
前記圧力センサが、流量制御装置に取り付けられ、流量制御装置に隣接し、かつ流量制御装置の上流に配置されている、請求項１に記載されたシステム。
【請求項１２】
流体導管が圧力センサに取り付けられる場合、前記圧力センサの配置と構成とにより、流体導管も圧力センサに必ず操作可能に通信できるように取り付けられる、請求項１に記載されたシステム。
【請求項１３】
前記プロセッサが、更に優先・モードを有し、優先・モード時には、検証モードを実行しないように構成されている、請求項１に記載されたシステム。
【請求項１４】
更に、前記プロセッサと接続されたメモリが含まれ、その場合、前記プロセッサが更に、優先・モードで設定されていたことを示すデータがメモリに記憶されるように構成されている請求項１３に記載されたシステム。
【請求項１５】
前記プロセッサが、更に優先・モードを有し、優先・モード時には、流量制御装置の動作を遅延させて流体の導管通過を抑止することがないように構成されている、請求項２に記載されたシステム。
【請求項１６】
更に、前記プロセッサと接続されたメモリが含まれ、その場合、プロセッサが更に、優先・モードで設定されていたことを示すデータをメモリに記憶するように構成されている、請求項１５に記載されたシステム。
【請求項１７】
前記システムには、更に、
薬剤ライブラリを含まれ、該薬剤ライブラリには薬剤のデータベースが記憶され、しかも、薬剤データベースには、またプロセッサに接続検証モードの実行を命令するため、選択された薬剤に関連する命令も含まれており、また
データベースから薬剤を選択するさいに使用する、プロセッサに接続された入力装置が含まれ、
その場合、プロセッサが、入力装置から薬剤の選択信号を受け取り、薬剤ライブラリにアクセスするようにされており、かつまた前記命令が選択された薬剤に関連する場合には、接続検証モードで構成される、請求項１３に記載されたシステム。
【請求項１８】
患者に複数医療用流体を注入するための患者看護システムであって、該医療用流体が複数流体容器に内臓され、容器の各々が可とう性導管を介して患者に接続されており、前記患者看護システムが複数流体ポンプチャネルを含み、該チャネルの各々が、流体導管を介して患者へ各流体容器から流体を移動させるために単一の流体導管を使用しており、流体容器と各導管とが上流の流体供給源セグメントを形成し、複数ポンプチャネルが１つの共通のプロセッサと接続され、該プロセッサが、特定流体容器が特定ポンプチャネルに接続されていることを検証するように構成されている形式のものにおいて、前記患者看護システムが、
複数圧力センサを含み、該圧力センサの各々が、別個のポンプチャネルに当てがわれ、かつ各ポンプチャネルの流体導管に、各流体容器とポンプチャネルとの間の箇所で接続されており、各圧力センサが、各導管内の圧力を検知し、検知した圧力に応じて圧力信号を発生させ、
しかも、前記共通のプロセッサが接続検証モードを有し、該検証モードでは、プロセッサが、特定導管内の期待圧力変化を示す圧力信号を受信すると、検証を表示するように構成されており、それにより、特定流体容器が特定導管を介して特定ポンプチャネルに接続されたことを検証する、患者に複数医療用流体を注入するための患者看護システム。
【請求項１９】
前記プロセッサが、更に、各導管内の期待圧力変化を示す圧力信号を受信し、それによって特定流体容器が各流量制御装置に接続されたことを検証するまで、流量制御装置の動作を遅延させて流体の各導管通過を抑止するように構成されている、請求項１８に記載された患者看護システム。
【請求項２０】
接続検証モードの前記プロセッサが、プロセッサに接続されたポンプチャネルのどれかで期待圧力変化を検出し、期待圧力変化が実際に検出されたポンプチャネルの操作員への特定を表示するように構成されている、請求項１８に記載された患者看護システム。
【請求項２１】
接続検証モードの前記プロセッサが、更に、
操作員に、選択した流体導管内に圧力変化を誘起するよう指示するように構成され、かつ
操作員が誘起した圧力変化を検出するため、選択した導管に関しての各圧力センサからの圧力信号をモニタするように構成されている、請求項１８に記載された患者看護システム。
【請求項２２】
接続検証モードの前記プロセッサが、更に、操作員が誘起した圧力変化が検出されるまで、各流量制御装置に遅延させて、選択された導管を流体が通過するのを抑止するように構成されている、請求項２１に記載された患者看護システム。
【請求項２３】
接続検証モードの前記プロセッサが、更に、
誘起された圧力変化を検出するために、予め定めた時限中、圧力信号をモニタするように構成され、かつ
誘起された圧力変化が予め定めた時限内に検出されない場合には、圧力変化の誘起されたことを確認するよう操作員に指示するように構成されている、請求項２１に記載された患者看護システム。
【請求項２４】
接続検証モードの前記プロセッサが、更に、圧力変化は誘起されたが、予め定めた時限内に圧力信号により示される圧力変化を検出しなかった場合、警告表示するように構成されている、請求項２３に記載された患者看護システム。
【請求項２５】
接続検証モードの前記プロセッサが、流体導管内に圧力変化を誘起するために、上流流体供給源セグメントの圧搾を操作員に指示するように構成されている、請求項２１に記載された患者看護システム。
【請求項２６】
接続検証モードの前記プロセッサが、流体導管内に圧力変化を誘起するために、特定流体供給源の高さ変更を操作員に指示するよう構成されている、請求項２１に記載された患者看護システム。
【請求項２７】
接続検証モードの前記プロセッサが、圧力変化を誘起するために、上流流体供給源セグメントを叩くように、操作員に指示するように構成されている請求項２１に記載された患者看護システム。
【請求項２８】
前記圧力センサが、流量制御装置に取り付けられ、流量制御装置に隣接かつ流量制御装置上流に配置されている、請求項１８に記載された患者看護システム。
【請求項２９】
流量制御装置に流体導管が取り付けられる場合、前記圧力センサの配置と構成とにより、流体導管も圧力センサと必ず操作可能に通信ができるように取り付けられる、請求項１８に記載された患者看護システム。
【請求項３０】
前記プロセッサが、更に優先・モードを含み、該モードの場合には、プロセッサが検証モードを実行しない、請求項１８に記載された患者看護システム。
【請求項３１】
前記患者看護システムが、更にプロセッサと接続されたメモリを含み、その場合、前記プロセッサが、更に、優先・モードで設定されていたことを示すデータを前記メモリに蓄えるように構成されている、請求項３０に記載された患者看護システム。
【請求項３２】
前記プロセッサが、更に優先・モードを含み、該プロセッサが、優先・モード時には、選択された導管を流体が通過するのを流量制御装置の動作の遅延により抑止することがないように構成されている、請求項１９に記載された患者看護システム。
【請求項３３】
前記患者看護システムが、更に、プロセッサと接続されたメモリを含み、その場合、前記プロセッサが、更に、優先・モードで設定されていたことを示すデータを前記メモリに蓄えるように構成されている、請求項３２に記載された患者看護システム。
【請求項３４】
前記患者看護システムには、更に
薬剤ライブラリが含まれ、該薬剤ライブラリに薬剤のデータベースが蓄えられ、しかも、該薬剤データベースが、また接続検証モードを実行するようプロセッサに命令するために、選択された薬剤に関する命令をも含み、また、
前記プロセッサに接続された入力装置が含まれ、該入力装置によって薬剤データベースから薬剤が選択され、
その場合、前記プロセッサが入力装置から薬剤選択信号を受信し、薬剤ライブラリにアクセスするようにされており、かつまた前記命令が選択された薬剤に関連する場合、接続検証モードで設定される、請求項３１に記載された患者看護システム。
【請求項３５】
流量制御装置への特定流体供給源の接続を検証する方法であって、前記流量制御装置が流体供給源に接続された流体導管に作用することで、流体供給源から流体が流体導管を通過して移動せしめられ、流体供給源と流体導管とが上流流体供給源セグメントを形成する形式のものにおいて、前記方法が、
流体導管内に圧力変化を誘起するように操作員に指示する段階と、
流量制御装置の上流の流体導管内の圧力を検知し、検知した圧力に応じて圧力信号を発生させる段階と、
圧力変化を誘起するように操作員に指示する前記段階に応答して、導管内の圧力変化を検出するために、圧力信号を処理する段階と、
誘起された圧力変化が圧力信号の処理により検出された場合には、流量制御装置への流体供給源の接続が検証されたことを示す接続検証を表示する段階とを含む、流量制御装置への特定流体供給源の接続を検証する方法。
【請求項３６】
前記方法が、更に、流体導管内の圧力変化が検出されるまで、流体の導管通過を抑止するために流量制御装置の動作を遅延させる段階を含む、請求項３５に記載された方法。
【請求項３７】
前記方法が、更に、
第２流量制御装置のところで期待圧力変化を検出する段階と、
第２流量制御装置の同定を表示する段階とを含む、請求項３５に記載された方法。
【請求項３８】
前記方法が、更に、
流体導管内の圧力変化を誘起するように操作員に指示する段階と、
操作員が誘起した圧力変化を検出するため、圧力信号をモニタする段階とを含む、請求項３５に記載された方法。
【請求項３９】
前記方法が、更に、操作員が誘起した圧力変化が検出されるまで、流体の導管通過を抑止するために、流量制御装置の動作を遅延させる段階を含む、請求項３８に記載された方法。
【請求項４０】
前記方法が、更に、誘起された圧力変化を検出するために、予め定めた時限中、圧力信号をモニタする段階と、
誘起された圧力変化が予め定めた時限内に検出されない場合、圧力変化誘起の確認を操作員に指示する段階とを含む、請求項３８に記載された方法。
【請求項４１】
前記方法が、更に、圧力変化は誘起されたが、予め定めた時限内に圧力信号によって示される圧力変化をプロセッサが検出しなかった場合には、警告表示を行う段階を含む、請求項４０に記載された方法。
【請求項４２】
前記方法が、更に、流体導管内に圧力変化を誘起するために、上流流体供給源セグメントを圧搾するよう操作員に指示する段階を含む、請求項３８に記載された方法。
【請求項４３】
前記方法が、更に、流体導管内に圧力変化を誘起するために、特定流体供給源の高さを変更するよう操作員に指示する段階を含む、請求項３８に記載された方法。
【請求項４４】
前記方法が、更に、圧力変化を誘起するために、上流流体供給源セグメントを叩くよう操作員に指示する段階を含む、請求項３８に記載された方法。
【請求項４５】
前記方法が、更に、処理段階及び支持段階に選択的に優先する段階を含む、請求項３５に記載された方法。
【請求項４６】
前記方法が、更に、後の分析用にメモリ内に優先を蓄える段階を含む、請求項４５に記載された方法。
【請求項４７】
前記方法が、更に、処理段階、表示段階、遅延段階に選択的に優先する段階を含む、請求項３６に記載された方法。
【請求項４８】
前記方法が、更に、後の分析用にメモリに優先を蓄える段階を含む、請求項４７に記載された方法。
【請求項４９】
前記方法には、更に、薬剤のデータベースを含む薬剤ライブラリを蓄える段階が含まれ、その場合、薬剤データベースが、接続検証方法を実行するために、選択された薬剤に関係する命令をも含み、また
前記データベースから薬剤を選択する段階と、
前記命令が選択した薬剤に関係する場合、薬剤ライブラリにアクセスする段階と、指示する段階と、検出段階と、処理段階と、表示段階とを含む、請求項４５に記載された方法。